【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
被写体の光学像を電気的な画像信号に変換する撮像手段と、
前記画像信号の輝度情報を取得する輝度情報取得手段と、
露出制御に関する指示を入力するための操作手段と、
前記画像信号に基づく被写体画像を表示する表示手段と、
前記輝度情報に基づく画像を重畳させて前記被写体画像を前記表示手段に表示させるか否かを制御する表示制御手段とを有し、
前記表示制御手段は、前記輝度情報に基づく画像を重畳させずに前記被写体画像を前記表示手段に表示させている際に前記操作手段により前記露出制御に関する指示が入力された場合、前記輝度情報に基づく画像を重畳させて前記被写体画像を前記表示手段に表示させることを特徴とする撮像装置。
【請求項２】
時間を計測する計時手段を更に有し、
前記表示制御手段は、前記操作手段での前記露出制御に関する指示の入力が終了してから、前記計時手段により計測された時間が予め設定された時間を過ぎるまで、前記輝度情報に基づく画像を重畳させて前記被写体画像を前記表示手段に表示させることを特徴とする請求項１に記載の撮像装置。
【請求項３】
非表示モードを選択するための選択手段を更に有し、
前記表示制御手段は、前記非表示モードが選択されている場合には、前記輝度情報に基づく画像を重畳させずに前記被写体画像を前記表示手段に表示させている際に前記操作手段により前記露出制御に関する指示が入力された場合、前記被写体画像に前記輝度情報に基づく画像を重畳させて前記表示手段に表示させないことを特徴とする請求項１または２に記載の撮像装置。
【請求項４】
被写体の光学像を電気的な画像信号に変換する撮像手段と、
前記画像信号の色情報を取得する色情報取得手段と、
前記画像信号に施す色処理に用いられるパラメータを入力するための操作手段と、
前記画像信号に基づく被写体画像を表示する表示手段と、
前記色情報に基づく画像を重畳させて前記被写体画像を前記表示手段に表示させるか否かを制御する表示制御手段とを有し、
前記表示制御手段は、前記色情報に基づく画像を重畳させずに前記被写体画像を前記表示手段に表示させている際に前記操作手段により前記色処理に用いられるパラメータが入力された場合、前記色情報に基づく画像を重畳させて前記被写体画像を前記表示手段に表示させることを特徴とする撮像装置。
【請求項５】
時間を計測する計時手段を更に有し、
前記表示制御手段は、前記操作手段での前記色処理に用いられるパラメータの入力が終了してから、前記計時手段により計測された時間が予め設定された時間を過ぎるまで、前記色情報に基づく画像を重畳させて前記被写体画像を前記表示手段に表示させることを特徴とする請求項４に記載の撮像装置。
【請求項６】
非表示モードを選択するための選択手段を更に有し、
前記表示制御手段は、前記非表示モードが選択されている場合には、前記色情報に基づく画像を重畳させずに前記被写体画像を前記表示手段に表示させている際に前記操作手段により前記色処理に用いられるパラメータが入力された場合、前記被写体画像に前記色情報に基づく画像を重畳させて前記表示手段に表示させないことを特徴とする請求項４または５に記載の撮像装置。
【請求項７】
撮像手段が、被写体の光学像を電気的な画像信号に変換する撮像工程と、
輝度情報取得手段が、前記画像信号の輝度情報を取得する輝度情報取得工程と、
判断手段が、露出制御に関する操作が行われているかどうかを判断する判断工程と、
表示制御手段が、前記輝度情報に基づく画像を重畳させて前記画像信号に基づく被写体画像を表示手段に表示させるか否かを制御する表示制御工程とを有し、
前記表示制御工程では、前記輝度情報に基づく画像を重畳させずに前記被写体画像を前記表示手段に表示させている際に前記判断工程で前記露出制御に関する操作が行われたと判断した場合、前記輝度情報に基づく画像を重畳させて前記被写体画像を前記表示手段に表示させることを特徴とする表示制御方法。
【請求項８】
撮像手段が、被写体の光学像を電気的な画像信号に変換する撮像工程と、
色情報取得手段が、前記画像信号の色情報を取得する色情報取得工程と、
判断手段が、前記画像信号に施す色処理に用いられるパラメータを入力する操作が行われているかどうかを判断する判断工程と、
表示制御手段が、前記色情報に基づく画像を重畳させて前記画像信号に基づく被写体画像を表示手段に表示させるか否かを制御する表示制御工程とを有し、
前記表示制御工程では、前記色情報に基づく画像を重畳させずに前記被写体画像を前記表示手段に表示させている際に前記判断工程で前記色処理に用いられるパラメータを入力する操作が行われたと判断した場合、前記色情報に基づく画像を重畳させて前記被写体画像を前記表示手段に表示させることを特徴とする表示制御方法。
【手続補正２】
【補正対象書類名】明細書
【補正対象項目名】発明の名称
【補正方法】変更
【補正の内容】
【発明の名称】撮像装置及び表示制御方法
【手続補正３】
【補正対象書類名】明細書
【補正対象項目名】０００１
【補正方法】変更
【補正の内容】
【０００１】
本発明は、輝度や色などの情報に基づく画像を被写体画像に重畳表示する撮像装置及び表示制御方法に関する。
【手続補正４】
【補正対象書類名】明細書
【補正対象項目名】００１１
【補正方法】変更
【補正の内容】
【００１１】
上記目的を達成するために、本発明に係る撮像装置は、被写体の光学像を電気的な画像信号に変換する撮像手段と、前記画像信号の輝度情報を取得する輝度情報取得手段と、露出制御に関する指示を入力するための操作手段と、前記画像信号に基づく被写体画像を表示する表示手段と、前記輝度情報に基づく画像を重畳させて前記被写体画像を前記表示手段に表示させるか否かを制御する表示制御手段とを有し、前記表示制御手段は、前記輝度情報に基づく画像を重畳させずに前記被写体画像を前記表示手段に表示させている際に前記操作手段により前記露出制御に関する指示が入力された場合、前記輝度情報に基づく画像を重畳させて前記被写体画像を前記表示手段に表示させることを特徴とする。
【手続補正５】
【補正対象書類名】明細書
【補正対象項目名】００１２
【補正方法】変更
【補正の内容】
【００１２】
また、上記目的を達成するために、本発明に係る表示制御方法は、撮像手段が、被写体の光学像を電気的な画像信号に変換する撮像工程と、輝度情報取得手段が、前記画像信号の輝度情報を取得する輝度情報取得工程と、判断手段が、露出制御に関する操作が行われているかどうかを判断する判断工程と、表示制御手段が、前記輝度情報に基づく画像を重畳させて前記画像信号に基づく被写体画像を表示手段に表示させるか否かを制御する表示制御工程とを有し、前記表示制御工程では、前記輝度情報に基づく画像を重畳させずに前記被写体画像を前記表示手段に表示させている際に前記判断工程で前記露出制御に関する操作が行われたと判断した場合、前記輝度情報に基づく画像を重畳させて前記被写体画像を前記表示手段に表示させることを特徴とする。
【手続補正６】
【補正対象書類名】明細書
【補正対象項目名】００１３
【補正方法】変更
【補正の内容】
【００１３】
また、上記目的を達成するために、本発明に係る撮像装置は、被写体の光学像を電気的な画像信号に変換する撮像手段と、
前記画像信号の色情報を取得する色情報取得手段と、
前記画像信号に施す色処理に用いられるパラメータを入力するための操作手段と、前記画像信号に基づく被写体画像を表示する表示手段と、前記色情報に基づく画像を重畳させて前記被写体画像を前記表示手段に表示させるか否かを制御する表示制御手段とを有し、前記表示制御手段は、前記色情報に基づく画像を重畳させずに前記被写体画像を前記表示手段に表示させている際に前記操作手段により前記色処理に用いられるパラメータが入力された場合、前記色情報に基づく画像を重畳させて前記被写体画像を前記表示手段に表示させることを特徴とする。
【手続補正７】
【補正対象書類名】明細書
【補正対象項目名】００１４
【補正方法】変更
【補正の内容】
【００１４】
また、上記目的を達成するために、本発明に係る表示制御方法は、撮像手段が、被写体の光学像を電気的な画像信号に変換する撮像工程と、色情報取得手段が、前記画像信号の色情報を取得する色情報取得工程と、判断手段が、前記画像信号に施す色処理に用いられるパラメータを入力する操作が行われているかどうかを判断する判断工程と、表示制御手段が、前記色情報に基づく画像を重畳させて前記画像信号に基づく被写体画像を表示手段に表示させるか否かを制御する表示制御工程とを有し、前記表示制御工程では、前記色情報に基づく画像を重畳させずに前記被写体画像を前記表示手段に表示させている際に前記判断工程で前記色処理に用いられるパラメータを入力する操作が行われたと判断した場合、前記色情報に基づく画像を重畳させて前記被写体画像を前記表示手段に表示させることを特徴とする。